(57)【要約】【課題】携帯型電子機器において、記録媒体の空き容量が不足している場合でも、メモリカードを交換することなく、録音や撮像を行うことができ、ユーザが、音声データや画像データを記憶するチャンスを逃さないようにする。【解決手段】制御部は、メモリカードの空き容量を検出し、撮像データを保存できるか否かの判断を行う（Ｓ２）。メモリカードの空き容量が不足している場合は（Ｓ２でＮＯ）、制御部が、「メモリカードの空き容量が不足しています。録音を継続しますか（音声データを保存しますか）？」等のメッセージを表示部に表示する（Ｓ４）。音声データを保存する場合は（Ｓ５でＹＥＳ）、ユーザが、メモリカードの中から消去対象となる音声データを選択すると（Ｓ６）、制御部は、選択された音声データをメモリカードから消去する（Ｓ７）。続いて、制御部は、マイクロフォンから出力された音声データをメモリカードに保存し（Ｓ８）、録音処理を終了する。【選択図】図２
2007240771.tif 000002
【特許請求の範囲】
【請求項１】
音声を電気信号に変換するマイクロフォンと、
操作用のボタン等を有する操作手段と、
各種のメッセージ等を表示するための表示手段と、
装置本体に着脱自在で、前記マイクロフォンから出力された音声の電気信号のデータ（以下、音声データという）を保存するための記録媒体と、
前記音声データの前記記録媒体への保存を制御する保存制御手段とを備えた携帯型音響機器において、
前記記録媒体の空き容量を検出する記録容量検出手段をさらに備え、
前記保存制御手段は、
前記マイクロフォンから出力された音声データを前記記録媒体に保存する際に、前記記録容量検出手段により、前記記録媒体の空き容量を検出して、前記音声データを前記記録媒体に保存できるか否かを判断し、
この判断の結果、保存できない場合に、前記記録媒体の空き容量が不足している旨のメッセージ、及び前記マイクロフォンから出力された音声データを前記記録媒体に保存するか否かの選択を促すためのメッセージを前記表示手段に表示し、
ユーザが、前記操作手段を用いて、前記音声データを前記記録媒体に保存することを選択したときに、ユーザに、前記記録媒体に保存されている音声データの中から、消去対象となる音声データを選択するように促すためのメッセージを前記表示手段に表示し、
ユーザが前記操作手段を用いて消去対象となる音声データを選択したときに、選択された音声データを前記記録媒体から消去することを特徴とする携帯型音響機器。
【請求項２】
被写体を撮像するための撮像手段と、
操作用のボタン等を有する操作手段と、
撮像した画像や各種のメッセージ等を表示するための表示手段と、
撮像した画像のデータ（以下、撮像データという）を展開するための一時記憶手段と、
装置本体に着脱自在で、前記撮像データを保存するための記録媒体と、
前記一時記憶手段に展開された撮像データの前記記録媒体への保存を制御する保存制御手段とを備えた携帯型電子機器において、
前記記録媒体の空き容量を検出する記録容量検出手段をさらに備え、
前記保存制御手段は、
前記一時記憶手段に展開された撮像データを前記記録媒体に保存する際に、前記記録容量検出手段により、前記記録媒体の空き容量を検出して、前記撮像データを前記記録媒体に保存できるか否かを判断し、
この判断の結果、保存できない場合に、前記記録媒体の空き容量が不足している旨のメッセージ、及び前記一時記憶手段に展開された撮像データを前記記録媒体に保存するか否かの選択を促すためのメッセージを前記表示手段に表示し、
ユーザが、前記操作手段を用いて、前記一時記憶手段に展開された撮像データを前記記録媒体に保存することを選択したときに、ユーザに、前記記録媒体に保存されている撮像データの中から、消去対象となる撮像データを選択するように促すためのメッセージを前記表示手段に表示し、
ユーザが前記操作手段を用いて消去対象となる撮像データを選択したときに、選択された撮像データを前記記録媒体から消去し、前記一時記録手段に展開された撮像データを前記記録媒体に保存することを特徴とする携帯型電子機器。
【請求項３】
音声データや画像データ等のデータを入力するための入力手段と、
操作用のボタン等を有する操作手段と、
各種のメッセージ等を表示するための表示手段と、
装置本体に着脱自在で、前記入力手段により入力されたデータを保存するための記録媒体と、
前記データの前記記録媒体への保存を制御する保存制御手段とを備えた携帯型電子機器において、
前記記録媒体の空き容量を検出する記録容量検出手段をさらに備え、
前記保存制御手段は、
前記入力手段により入力されたデータを前記記録媒体に保存する際に、前記記録容量検出手段により、前記記録媒体の空き容量を検出して、前記データを前記記録媒体に保存できるか否かを判断し、
この判断の結果、保存できない場合に、ユーザに、前記記録媒体に保存されているデータの中から、消去対象となるデータを選択するように促すためのメッセージを前記表示手段に表示し、
ユーザが前記操作手段を用いて消去対象となるデータを選択したときに、選択されたデータを前記記録媒体から消去することを特徴とする携帯型電子機器。
【請求項４】
被写体を撮像するための撮像手段と、
操作用のボタン等を有する操作手段と、
撮像した画像や各種のメッセージ等を表示するための表示手段と、
撮像した画像のデータ（以下、撮像データという）を展開するための一時記憶手段と、
装置本体に着脱自在で、前記撮像データを保存するための記録媒体と、
前記一時記憶手段に展開された撮像データの前記記録媒体への保存を制御する保存制御手段とを備えた携帯型電子機器において、
前記記録媒体の空き容量を検出する記録容量検出手段をさらに備え、
前記保存制御手段は、
前記一時記憶手段に展開された撮像データを前記記録媒体に保存する際に、前記記録容量検出手段により、前記記録媒体の空き容量を検出して、前記撮像データを前記記録媒体に保存できるか否かを判断し、
この判断の結果、保存できない場合に、ユーザに、前記記録媒体に保存されている撮像データの中から、消去対象となる撮像データを選択するように促すためのメッセージを前記表示手段に表示し、
ユーザが前記操作手段を用いて消去対象となる撮像データを選択したときに、選択された撮像データを前記記録媒体から消去し、前記一時記録手段に展開された撮像データを前記記録媒体に保存することを特徴とする携帯型電子機器。
【請求項５】
前記保存制御手段は、
前記撮像データを前記記録媒体に保存できるか否かの判断の結果、保存できない場合に、前記一時記憶手段に展開された撮像データを前記記録媒体に保存するか否かの選択を促すためのメッセージを前記表示手段に表示し、
ユーザが、前記操作手段を用いて、前記一時記憶手段に展開された撮像データを前記記録媒体に保存することを選択したときに、ユーザに、前記記録媒体に保存されている撮像データの中から、消去対象となる撮像データを選択するように促すためのメッセージを前記表示手段に表示することを特徴とする請求項４に記載の携帯型電子機器。
【発明の詳細な説明】
【技術分野】
【０００１】
本発明は、メモリカード装着タイプのＩＣレコーダやｉＰＯＤ（Ａｐｐｌｅ社の商品名）等の携帯型音響機器、携帯電話、及びディジタルカメラ等の携帯型電子機器に関し、特にデータの保存の技術に関する。
【背景技術】
【０００２】
近年、携帯型音響機器、携帯電話、及びディジタルカメラ等の携帯型電子機器は、録音した音声データや、撮像した画像データ（以下、撮像データという）を、例えばスマートメディア（株式会社東芝の商品名）、コンパクトフラッシュ（登録商標）（米国ＳａｎＤｉｓｋ社の商品名）、メモリスティック（ソニー株式会社の商品名）等のメモリカードに保存する。
【０００３】
この種の機器においては、メモリカードの空き容量が不足している場合、ユーザがメモリカードを交換しなければ、音声データや画像データの記憶を行うことができないので、ユーザは音声データや画像データを記憶するチャンスを逃してしまうという問題がある。
【０００４】
例えば、メモリカード装着タイプのＩＣレコーダの場合は、会議中に、メモリカードの空き容量が不足してしまうと、ユーザがメモリカードを交換しなければ、録音を行うことができないので、ユーザは会議内容の音声データを記憶するチャンスを逃してしまう。
【０００５】
次に、図８を参照して、携帯型電子機器が撮影装置である場合を例に、従来の携帯型電子機器における上記の問題について説明する。まず、電源が投入されると、撮像装置はメモリカードの空き容量が十分あるか否かの判断を行う（Ｓ１０１）。十分空き容量がある場合は（Ｓ１０１でＹＥＳ）、ユーザによる撮像が行われると（Ｓ１０２）、撮像装置は、撮像データを一時メモリであるキャッシュメモリ（ＳＤＲＡＭ）に展開し（Ｓ１０３）、撮像データをメモリカードに保存し（Ｓ１０４）、再びＳ１０１以降の処理を行う。
【０００６】
一方、メモリカードの空き容量が十分に無い場合は（Ｓ１０１でＮＯ）、撮像装置は、空き容量が不足している旨のメッセージを表示し（Ｓ１０５）、ユーザにメモリカードの交換を促す。そして、メモリカードが交換されたか否かを判断する（Ｓ１０６）。メモリカードが交換された場合（Ｓ１０６でＹＥＳ）、撮像装置は、交換されたメモリカードについて上述と同様に空き容量の判断を行う（Ｓ１０１）。メモリカードが交換されていない場合は（Ｓ１０６でＮＯ）、再び空き容量が不足している旨のメッセージの表示を行う（Ｓ１０５）。そのため、メモリカードの空き容量が不足している場合、メモリカードを交換しなければ撮像を行うことができないので、ユーザは撮像したい瞬間（以下、シャッターチャンスという）を逃してしまうという問題がある。
【０００７】
上記問題に対して、特許文献１は、ユーザが撮像ボタンを押した際に、画像記録部が空き容量を判断し、空き容量が不足していると判断した場合、有効度順に撮像済みの撮像データを表示部に表示するものである。しかし、この発明では、記録されている撮像データを消去しなければ、新しい撮像データを記録することができない。従って、ユーザがシャッターチャンスを逃してしまう可能性がある。
【０００８】
また、特許文献２は、メモリカードの空き容量が少なく、撮像を行うことができないと判断した場合、管理データに基いて、メモリカードに保存してある撮像データを選択して外部に送信し、送信した撮像データをメモリから消去するものである。しかし、この発明では、ディジタルカメラと外部の記憶装置とが通信等により接続されていない場合、撮像データを外部に送信することができず、撮像を行うことができない。従って、ユーザがシャッターチャンスを逃してしまう可能性がある。
【０００９】
また、特許文献３は、撮像データの保存先を変更できるものであるが、撮像データを保存するメモリカードの空き容量が不足している場合でも、撮像を行うことができる概念は示されていない。そのため、上記特許文献１乃至３に記載された発明では、上記問題を解決できない。
【特許文献１】特開２００２−３６９１２５号公報
【特許文献２】特開平１０―３０４２３１号公報
【特許文献３】特開２００２−０９４８５１号公報
【発明の開示】
【発明が解決しようとする課題】
【００１０】
本発明は、上記問題を解決するためになされたものであり、記録媒体の空き容量が不足している場合でも、メモリカードを交換することなく、録音や撮像を行うことができ、ユーザが、音声データや画像データを記憶するチャンスを逃すことの少ない携帯型音響機器及び携帯型電子機器を提供することを目的とする。
【課題を解決するための手段】
【００１１】
上記目的を達成するために請求項１の発明は、音声を電気信号に変換するマイクロフォンと、操作用のボタン等を有する操作手段と、各種のメッセージ等を表示するための表示手段と、装置本体に着脱自在で、前記マイクロフォンから出力された音声の電気信号のデータ（以下、音声データという）を保存するための記録媒体と、前記音声データの前記記録媒体への保存を制御する保存制御手段とを備えた携帯型音響機器において、前記記録媒体の空き容量を検出する記録容量検出手段をさらに備え、前記保存制御手段は、前記マイクロフォンから出力された音声データを前記記録媒体に保存する際に、前記記録容量検出手段により、前記記録媒体の空き容量を検出して、前記音声データを前記記録媒体に保存できるか否かを判断し、この判断の結果、保存できない場合に、前記記録媒体の空き容量が不足している旨のメッセージ、及び前記マイクロフォンから出力された音声データを前記記録媒体に保存するか否かの選択を促すためのメッセージを前記表示手段に表示し、ユーザが、前記操作手段を用いて、前記音声データを前記記録媒体に保存することを選択したときに、ユーザに、前記記録媒体に保存されている音声データの中から、消去対象となる音声データを選択するように促すためのメッセージを前記表示手段に表示し、ユーザが前記操作手段を用いて消去対象となる音声データを選択したときに、選択された音声データを前記記録媒体から消去するものである。
【００１２】
請求項２の発明は、被写体を撮像するための撮像手段と、操作用のボタン等を有する操作手段と、撮像した画像や各種のメッセージ等を表示するための表示手段と、撮像した画像のデータ（以下、撮像データという）を展開するための一時記憶手段と、装置本体に着脱自在で、前記撮像データを保存するための記録媒体と、前記一時記憶手段に展開された撮像データの前記記録媒体への保存を制御する保存制御手段とを備えた携帯型電子機器において、前記記録媒体の空き容量を検出する記録容量検出手段をさらに備え、前記保存制御手段は、前記一時記憶手段に展開された撮像データを前記記録媒体に保存する際に、前記記録容量検出手段により、前記記録媒体の空き容量を検出して、前記撮像データを前記記録媒体に保存できるか否かを判断し、この判断の結果、保存できない場合に、前記記録媒体の空き容量が不足している旨のメッセージ、及び前記一時記憶手段に展開された撮像データを前記記録媒体に保存するか否かの選択を促すためのメッセージを前記表示手段に表示し、ユーザが、前記操作手段を用いて、前記一時記憶手段に展開された撮像データを前記記録媒体に保存することを選択したときに、ユーザに、前記記録媒体に保存されている撮像データの中から、消去対象となる撮像データを選択するように促すためのメッセージを前記表示手段に表示し、ユーザが前記操作手段を用いて消去対象となる撮像データを選択したときに、選択された撮像データを前記記録媒体から消去し、前記一時記録手段に展開された撮像データを前記記録媒体に保存するものである。
【００１３】
請求項３の発明は、音声データや画像データ等のデータを入力するための入力手段と、操作用のボタン等を有する操作手段と、各種のメッセージ等を表示するための表示手段と、装置本体に着脱自在で、前記入力手段により入力されたデータを保存するための記録媒体と、前記データの前記記録媒体への保存を制御する保存制御手段とを備えた携帯型電子機器において、前記記録媒体の空き容量を検出する記録容量検出手段をさらに備え、前記保存制御手段は、前記入力手段により入力されたデータを前記記録媒体に保存する際に、前記記録容量検出手段により、前記記録媒体の空き容量を検出して、前記データを前記記録媒体に保存できるか否かを判断し、この判断の結果、保存できない場合に、ユーザに、前記記録媒体に保存されているデータの中から、消去対象となるデータを選択するように促すためのメッセージを前記表示手段に表示し、ユーザが前記操作手段を用いて消去対象となるデータを選択したときに、選択されたデータを前記記録媒体から消去するものである。
【００１４】
請求項４の発明は、被写体を撮像するための撮像手段と、操作用のボタン等を有する操作手段と、撮像した画像や各種のメッセージ等を表示するための表示手段と、撮像した画像のデータ（以下、撮像データという）を展開するための一時記憶手段と、装置本体に着脱自在で、前記撮像データを保存するための記録媒体と、前記一時記憶手段に展開された撮像データの前記記録媒体への保存を制御する保存制御手段とを備えた携帯型電子機器において、前記記録媒体の空き容量を検出する記録容量検出手段をさらに備え、前記保存制御手段は、前記一時記憶手段に展開された撮像データを前記記録媒体に保存する際に、前記記録容量検出手段により、前記記録媒体の空き容量を検出して、前記撮像データを前記記録媒体に保存できるか否かを判断し、この判断の結果、保存できない場合に、ユーザに、前記記録媒体に保存されている撮像データの中から、消去対象となる撮像データを選択するように促すためのメッセージを前記表示手段に表示し、ユーザが前記操作手段を用いて消去対象となる撮像データを選択したときに、選択された撮像データを前記記録媒体から消去し、前記一時記録手段に展開された撮像データを前記記録媒体に保存するものである。
【００１５】
請求項５の発明は、請求項４に記載の携帯型電子機器において、前記保存制御手段は、前記撮像データを前記記録媒体に保存できるか否かの判断の結果、保存できない場合に、前記一時記憶手段に展開された撮像データを前記記録媒体に保存するか否かの選択を促すためのメッセージを前記表示手段に表示し、ユーザが、前記操作手段を用いて、前記一時記憶手段に展開された撮像データを前記記録媒体に保存することを選択したときに、ユーザに、前記記録媒体に保存されている撮像データの中から、消去対象となる撮像データを選択するように促すためのメッセージを前記表示手段に表示するものである。
【発明の効果】
【００１６】
本発明によれば、記録媒体の空き容量が不足している場合でも、記録媒体を交換することなく録音や撮像を行うことができるため、ユーザは、音声データや画像データを記憶するチャンスを逃さないようにすることができる。
【発明を実施するための最良の形態】
【００１７】
以下、本発明の第１の実施形態について図面を参照して説明する。第１の実施形態によるＩＣレコーダ（請求項における携帯型音響機器及び携帯型電子機器）は、請求項１及び３に対応する。図１は、第１の実施形態によるＩＣレコーダの外観を示す。
【００１８】
ＩＣレコーダ１は、メモリカード装着タイプのものであり、音声を電気信号に変換し、電子データとしてメモリカード８（請求項における記録媒体）に保存するものである。メモリカード８は、ＩＣレコーダ１の装着口１０から着脱自在である。ＩＣレコーダ１は、音声を電気信号に変換するマイクロフォン２と、録音ボタン３等の操作用のボタンを有する操作部５と、各種のメッセージ等を表示するための表示部４（表示手段）と、マイクロフォン２から出力された音声の電気信号のデータ（以下、音声データという）を記憶（録音）するためのメモリカード８と、音声データのメモリカード８への保存の制御を含む、装置各部の制御を行う制御部７（保存制御手段、記録容量検出手段）を有している。また、ＩＣレコーダ１は、制御部７により用いられる制御用のプログラムを含む各種のプログラムやデータを記憶するための内部メモリ９と、録音した音声の再生時に再生した音声を出力するためのスピーカ６とを有している。
【００１９】
次に、ＩＣレコーダ１における録音処理について図２を参照して説明する。ユーザにより録音ボタン３が押下されて録音が開始されると（Ｓ１）、制御部７は、メモリカード２の空き容量を検出し、新たな音声データを保存できるか否かの判断を行う（Ｓ２）。メモリカード２に保存できる場合は（Ｓ２でＹＥＳ）、制御部７は、マイクロフォン２から出力された音声データをメモリカード８に保存し（Ｓ３）、録音処理を終了する。
【００２０】
一方、メモリカード２の空き容量が不足している場合は（Ｓ２でＮＯ）、制御部７が、「メモリカードの空き容量が不足しています。録音を継続しますか（音声データを保存しますか）？」等の空き容量が不足している旨のメッセージ、及び録音を継続するか否か（音声データをメモリカード２に保存するか否か）の選択を促すためのメッセージを表示部４に表示する（Ｓ４）。そして、ユーザは、操作部５を操作することにより、録音を継続するか否か（音声データをメモリカード２に保存するか否か）の選択を行う（Ｓ５）。
【００２１】
音声データを保存しない場合（Ｓ５でＮＯ）、録音処理を終了する。
【００２２】
音声データを保存する場合（Ｓ５でＹＥＳ）、ユーザがメモリカード８の中から、消去対象となる音声データを選択すると（Ｓ６）、制御部７は選択された音声データをメモリカード８から消去する（Ｓ７）。続いて、制御部７は、マイクロフォン２から出力された音声データをメモリカード８に保存し（Ｓ８）、録音処理を終了する。
【００２３】
上記のように、第１の実施形態に係るＩＣレコーダ１によれば、メモリカード８の空き容量を検出し、音声データを保存できるか否かを判断する。空き容量が不足している場合は、ユーザが選択したメモリカード８内の音声データを消去することにより、マイクロフォン２から出力された音声データをメモリカード８に保存することができる。そのため、メモリカード８の空き容量が不足している場合でも、メモリカード８を交換することなく、撮像を行えるため、ユーザは、音声データを記憶するチャンスを逃さないようにすることができる。
【００２４】
次に、本発明の第２の実施形態について図面を参照して説明する。第２の実施形態による撮像装置（請求項における携帯型電子機器）は、請求項２乃至５に対応する。図３（ａ）（ｂ）は、第２の実施形態による撮像装置の前面と背面を示し、図４は、同撮像装置の内部構成を示す。
【００２５】
撮像装置１１は、撮像した情報を電気信号に変換し、電子データとして外部のメモリカード１２（記録媒体）に保存するものであり、メモリカード１２は、撮像装置１１の装着部１２に着脱自在である。撮像装置１１は、被写体を撮像するための撮像ユニット２１（撮像手段）と、操作用のボタン等を有する操作部２４と、撮像した画像や各種のメッセージ等を表示するための表示部２３（表示手段）と、撮像した画像のデータ（以下、撮像データという）等を一時的に保存するためのＳＤＲＡＭ２６（一時記憶手段）と、メモリカード１２を装着するための装着部２２と、装着部２２に装着されるメモリカード１２と、装置各部を制御する制御部２５（保存制御手段）とを備えている。
【００２６】
制御部２５は、メモリカード１２の空き容量を検出する記録容量検出手段１５１を有している。制御部２５は、記録容量検出手段１５１が検出した検出結果を用いて、撮像データを保存することができるか否かの判断を行う。
【００２７】
次に、撮像装置１１における撮像処理について図５を参照して説明する。ユーザにより撮像が行われると（Ｓ１１）、制御部２５は、撮像された撮像データをＳＤＲＡＭ２６に展開する（Ｓ１２）。そして、記録容量検出手段１５１を用いて、メモリカード１２の空き容量を検出し、撮像データを保存できるか否かの判断を行う（Ｓ１３）。メモリカード１２に保存できる場合は（Ｓ１３でＹＥＳ）、ＳＤＲＡＭ２６に展開した撮像データをメモリカード１２に保存し（Ｓ１４）、撮像処理は終了する。
【００２８】
一方、メモリカード１２の空き容量が不足している場合は（Ｓ１３でＮＯ）、制御部２５が、「メモリカードの空き容量が不足しています。撮像データを保存しますか？」等の空き容量が不足している旨のメッセージ、及び撮像データをメモリカード１２に保存するか否かの選択を促すためのメッセージを表示部２３に表示する（Ｓ１５）。そして、ユーザは、操作部２４を操作することにより、撮像データを保存するか否かの選択を行う（Ｓ１６）。
【００２９】
撮像データを保存しない場合（Ｓ１６でＮＯ）、ＳＤＲＡＭ２６に展開した撮像データを破棄し（Ｓ２０）、撮像処理を終了する。
【００３０】
撮像データを保存する場合（Ｓ１６でＹＥＳ）、ユーザがメモリカード１２の中から、消去対象となる撮像データを選択すると（Ｓ１７）、撮像装置１１の制御部２５は選択された撮像データをメモリカード１２から消去する（Ｓ１８）。続いて、ＳＤＲＡＭ２６に展開された撮像データをメモリカード１２に保存し（Ｓ１９）、撮像処理を終了する。
【００３１】
上記のように、第２の実施形態に係る撮像装置によれば、ＳＤＲＡＭ２６に撮像データを展開した後に、メモリカード１２の空き容量を検出し、撮像データを保存できるか否かを判断する。空き容量が不足している場合は、ユーザが選択したメモリカード１２内の撮像データを消去することにより、ＳＤＲＡＭ２６に展開した撮像データをメモリカード１２に保存することができる。そのため、メモリカード１２の空き容量が不足している場合でも、メモリカード１２を交換することなく、撮像を行えるため、ユーザは、撮像したい瞬間（以下、シャッターチャンスという）を逃すことなく撮像を行うことができ、かつ、撮像した画像データを保存することができる。
【００３２】
次に、本発明の第３の実施形態に係る撮像装置について説明する。第３の実施形態による撮像装置１１（請求項における携帯型電子機器）も、上記第２の実施形態による撮像装置１１と同様、請求項２乃至５に対応する。この撮像装置１１は、９枚連続して撮像が行えること以外は、第２の実施形態に係る撮像装置の構成と同様である。連続して撮像を行う場合の連続撮像処理について図６を参照して説明する。なお、第３の実施形態においては、９枚連続して撮像する場合を示すが、これに限られず、任意の枚数を連続して撮像されるものでもよい。
【００３３】
ユーザにより、９枚連続して撮像が行われると（Ｓ２１）、制御部２５は、全ての撮像データをＳＤＲＡＭ２６に展開し（Ｓ２２）、その内の１枚の撮像データを取り出し（Ｓ２３）、図３と同様に、メモリカード１２にこの撮像データを保存するための空き容量があるか否かを判断する（Ｓ２４）。空き容量が十分な場合は（Ｓ２４でＹＥＳ）、メモリカード１２に撮像データを保存する（Ｓ２５）。そして、制御部２５は、Ｓ２３の処理で取り出されていない撮像データがあるか否かを判断し（Ｓ３２）、撮像データがある場合（Ｓ３２でＹＥＳ）は、再びＳ２３以降の処理を行う。取り出されていない撮像データがない場合は（Ｓ３２でＮＯ）、連続撮像処理を終了する。
【００３４】
一方、空き容量が不足している場合は（Ｓ２４でＮＯ）、図５と同様に、空き容量が不足している旨のメッセージ、及び撮像データを保存するか否かの選択を促すためのメッセージを表示部２３に表示する（Ｓ２６）。そして、ユーザが撮像データを保存するか否かの選択を行い（Ｓ２７）、撮像データを保存する場合は（Ｓ２７でＹＥＳ）、制御部２５は、ユーザに、メモリカード１２に保存されている撮像データの中から、消去対象となる撮像データを選択するように促すためのメッセージを表示部２３に表示する。そして、ユーザが操作部２４を用いて、消去対象となる撮像データを選択すると、ユーザが選択した撮像データをメモリカード１２から消去し（Ｓ２８、Ｓ２９）、代わりに撮像した撮像データを保存し（Ｓ３０）、Ｓ３２の処理を行う。撮像データ保存しない場合は（Ｓ２７でＮＯ）、ＳＤＲＡＭ２６から該当の撮像データを破棄し（Ｓ３１）、Ｓ３２の処理を行う。
【００３５】
上記のように、第３の実施形態に係る撮像装置１１によれば、メモリカード１２の空き容量が不足している場合でも、メモリカード１２を交換することなく連続撮像が行えるため、ユーザは、シャッターチャンスを逃すことなく、連続撮像を行うことができ、かつ、連続撮像した撮像データを保存することができる。
【００３６】
次に、本発明の第４の実施形態に係る撮像装置について説明する。この撮像装置１１は、撮像を行った際に、メモリカード１２の空き容量が不足していた場合、別のメモリカード１２と入れ替えることができること以外は、第２の実施形態に係る撮像装置１１の構成と同様である。この撮像装置１１の撮像処理について図７を参照して説明する。
【００３７】
図５に示す処理と同様に、ユーザにより撮像が行われると（Ｓ４１）、制御部２５は、撮像された撮像データをＳＤＲＡＭ２６に展開し（Ｓ４２）、撮像データをメモリカード１２に保存できるか否かの判断を行う（Ｓ４３）。メモリカード１２に保存できる場合は（Ｓ４３でＹＥＳ）、メモリカード１２に撮像データを保存し（Ｓ４４）、撮像処理を終了する。
【００３８】
メモリカード１２の空き容量が不足している場合（Ｓ４３でＮＯ）、制御部２５は、表示部２３に「メモリカードの空き容量が不足しています。メモリカードを交換してください」等の空き容量が不足している旨のメッセージ、及びユーザにメモリカード１２の交換を促すためのメッセージの表示を行い（Ｓ４５）、ユーザがメモリカード１２を交換したか否かの判断を行う（Ｓ４６）。
【００３９】
ユーザがメモリカード１２を交換した場合（Ｓ４６でＹＥＳ）、制御部２５は、再びＳ４３以下の処理を行い、交換されたメモリカード１２に十分な空き容量があれば、メモリカード１２に撮像データの保存を行い（Ｓ４４）、撮像処理を終了する。
【００４０】
上記のように、第４の実施形態に係る撮像装置１１によれば、撮像を行った後に、メモリカード１２の交換を行うことができるため、メモリカード１２の空き容量が不足している場合でも、ユーザは、シャッターチャンスを逃すことなく、撮像を行うことができ、かつ、撮像した画像データを保存することができる。
【００４１】
なお、上記の各実施形態では、本発明を、音声データを録音するＩＣレコーダ、及び静止画の撮像データを保存する撮像装置に適用した場合の例を示したが、これに限られず、ｉＰＯＤ（Ａｐｐｌｅ社の商品名）等の携帯型音響機器、及びディジタルカメラ付きの携帯電話、動画を撮影してメモリカードに保存する撮像装置等の画像の撮像処理を行う携帯型電子機器に本発明を適用してもよい。
【００４２】
また、上記の各実施形態は、組み合わせることができる。例えば、第２と第４の実施形態に係る撮像装置を組み合わせて、メモリカード１２に空き容量が不足している場合、ユーザはメモリカード１２内の撮像データを消去するか、または、別のメモリカード１２に入れ替えるかのどちらかを選択できるようにしてもよい。
【図面の簡単な説明】
【００４３】
【図１】本発明の第１の実施形態に係るＩＣレコーダの外観を示す図。
【図２】上記ＩＣレコーダにおける録音処理のフローチャート。
【図３】（ａ）（ｂ）は、それぞれ本発明の第２の実施形態に係る撮像装置の前面図と背面図。
【図４】上記撮像装置の内部構成を示すブロック図。
【図５】上記撮像装置における撮像処理のフローチャート。
【図６】本発明の第３の実施形態に係る撮像装置の連続撮像処理のフローチャート。
【図７】本発明の第４の実施形態に係る撮像装置の撮像処理のフローチャート。
【図８】従来の撮像装置の撮像処理のフローチャート。
【符号の説明】
【００４４】
１    ＩＣレコーダ（携帯型音響機器、携帯型電子機器）
２    マイクロフォン（入力手段）
４    表示部（表示手段）
５    操作部（操作手段）
７    制御部（保存制御手段、記録容量検出手段）
８    メモリカード（記録媒体）
１１  撮像装置（携帯型電子機器）
１２  メモリカード（記録媒体）
２１  撮像ユニット（撮像手段、入力手段）
２３  表示部（表示手段）
２４  操作部（操作手段）
２５  制御部（保存制御手段）
２６  ＳＤＲＡＭ（一時記憶手段）
１５１  記録容量検出手段
【図１】
2007240771.tif 000003
【図２】
2007240771.tif 000004
【図３】
2007240771.tif 000005
【図４】
2007240771.tif 000006
【図５】
2007240771.tif 000007
【図６】
2007240771.tif 000008
【図７】
2007240771.tif 000009
【図８】
2007240771.tif 000010